(57)【要約】【課題】  モニター本体などに取り付ける際に生じた導電性の異物によって、アレイ基板端部に設けられる端子部周辺で短絡が生じるのを抑制させた液晶表示装置を提供する。【解決手段】  前面に液晶パネル３の表示領域を露出させる開口２ａが設けられたフロントフレーム２と、液晶パネル３が載置される内フレーム１１と、ランプユニットを収容するリアフレーム１５とを備え、内フレーム１１の側面には、取付部材を係合させる係合孔１１ｃが設けられ、リアフレーム１５の側面には、液晶パネル３の端子部の位置に対応させて内側へ凹ませた凹部１５ａと、前方へ突出し、取付部材を貫通させる貫通孔１５ｃが形成された突出部とが設けられ、内フレーム１１が、その側面における係合孔１１ｃの周辺に異物の移動を阻止する阻止手段を有するように構成される。【選択図】  図４
2006010996.tif 000002
【特許請求の範囲】
【請求項１】
前面に液晶パネルの表示領域を露出させる開口が設けられ、側面に取付部材を貫通させる貫通孔が設けられたフロントフレームと、ランプユニットからの光を通過させる開口が設けられ、上記液晶パネルが載置される内フレームと、上記ランプユニットを収容し、上記内フレームが内側に嵌め込まれるリアフレームとを備えた液晶表示装置であって、
上記液晶パネルのアレイ基板端部には、半導体チップからなる駆動回路を接続するための端子部が設けられ、
上記内フレームの側面には、上記取付部材を係合させる係合孔が設けられ、
上記リアフレームの側面には、上記端子部の位置に対応させて内側へ凹ませた凹部と、前方へ突出し、上記取付部材を貫通させる貫通孔が形成された突出部とが設けられ、
リアフレームにフロントフレームを被せ、取付部材をフロントフレーム及びリアフレームの貫通孔を介して内フレームの係合孔に取り付けた際に、上記凹部に対向させて上記駆動回路が配置される液晶表示装置において、
上記内フレームは、その側面における係合孔の周辺に異物の移動を阻止する阻止手段を有することを特徴とする液晶表示装置。
【請求項２】
上記阻止手段は、上記リアフレームの突出部を取り囲むように側方に向けて突出させて形成されることを特徴とする請求項１に記載の液晶表示装置。
【請求項３】
上記フロントフレーム及び上記リアフレーム間における上記取付部材の周辺には、間隙を埋める充填部材を有することを特徴とする請求項１に記載の液晶表示装置。
【請求項４】
上記充填部材は、取付部材を取り囲むように形成されることを特徴とする請求項３に記載の液晶表示装置。
【請求項５】
上記内フレームは、側面の前側における上記凹部に対応する位置に側方に向けて突出させた突出部を有することを特徴とする請求項１に記載の液晶表示装置。
【請求項６】
上記内フレームは、その側面における上記凹部に対応する位置に、液晶パネルが載置された際、上記アレイ基板及び内フレーム間に凹部を形成する切り欠き部を有することを特徴とする請求項１に記載の液晶表示装置。
【請求項７】
上記切り欠き部は、内フレームの側面における上記突出部に対応する位置に設けられる切り欠きよりも深い凹部を形成することを特徴とする請求項６に記載の液晶表示装置。
【発明の詳細な説明】
【技術分野】
【０００１】
本発明は、液晶表示装置に係り、さらに詳しくは、前面に液晶パネルの表示領域を露出させる開口が設けられたフロントフレームと、液晶パネルが載置される内フレームと、ランプユニットを収容するリアフレームとを備えた液晶表示装置の改良に関する。
【背景技術】
【０００２】
一般に、パーソナルコンピュータやテレビ受像機などのモニターに用いられる液晶表示装置は、モニター本体にネジなどの取付部材を用いて取り付けられる。液晶表示装置の筐体が導電性の金属からなる場合、モニター本体に筐体を取り付ける際に、導電性の異物が生じて不具合を引き起こすという問題があった。
【０００３】
図１４は、従来の液晶表示装置の概略構成を示した分解斜視図であり、前面に液晶パネル１０２の表示領域を露出させる開口１０１ａが設けられたフロントフレーム１０１と、ＴＦＴ（Thin Film Transistor）アレイ基板及びＣＦ（カラーフィルタ）基板からなる液晶パネル１０２と、液晶パネル１０２を背面側から照明するバックライト１０３とを有する横長の液晶モジュール１００が示されている。
【０００４】
フロントフレーム１０１は、開口１０１ａが設けられる前面板と、爪１０３ｂに係合させるための係合孔１０１ｂ及び上記取付部材を貫通させる貫通孔１０１ｃがそれぞれ設けられる４つの側面板からなる。係合孔１０１ｂは、フロントフレーム１０１の長辺側の両側面板における対向する位置に設けられている。貫通孔１０１ｃは、フロントフレーム１０１の短辺側の両側面板における対向する位置に設けられている。
【０００５】
液晶パネル１０２には、複数のゲート線を駆動するゲートドライバＩＣ１０５及びゲート基板１０６と、複数のソース線（データ線）を駆動するソースドライバＩＣ１０８及びソース基板１０９とが設けられている。ゲートドライバＩＣ１０５は、ＴＦＴ（Thin Film Transistor）アレイ基板の短辺側に設けられ、ゲート基板１０６及びＴＦＴアレイ基板を接続するＴＣＰ（Tape Carrier Package）１０４上に半導体チップからなる駆動回路として形成されている。ソースドライバＩＣ１０８は、ＴＦＴアレイ基板の長辺側に設けられ、ソース基板１０９及びＴＦＴアレイ基板を接続するＴＣＰ（Tape Carrier Package）１０７上に半導体チップからなる駆動回路として形成されている。ゲート基板１０６及びソース基板１０９は、それぞれプリント基板（Printed Wiring Board：ＰＷＢ）からなり、複数のドライバＩＣを制御するコントローラ回路が形成されている。また、各ＴＣＰ１０４及び１０７は、ＴＦＴアレイ基板の端部に設けられる端子部に接続されている。
【０００６】
バックライト１０３は、ランプユニットと、ランプユニットからの光を通過させる開口が設けられ、液晶パネル１０２が載置される内フレームと、ランプユニットを収容し、内フレームが内側に嵌め込まれるリアフレームからなる。リアフレームは、背面板と、爪１０３ｂ及び貫通孔１０３ｃがそれぞれ形成される４つの側面板からなる。内フレームは樹脂（モールド）からなり、フロントフレーム１０１及びリアフレームはアルミニウムなどの金属からなる。
【０００７】
バックライト１０３の内フレーム上に液晶パネル１０２を載置した状態で、リアフレームにフロントフレーム１０１を被せ、フロントフレーム１０１の各係合孔１０１ｂをそれぞれバックライト１０３の爪１０３ｂに係合させると、液晶モジュール１００が完成する。液晶モジュール１００の完成状態では、ゲート基板１０６及びソース基板１０９はそれぞれリアフレームの背面側に回し込まれ、ゲートドライバＩＣ１０５及びソースドライバＩＣ１０８がバックライト１０３の隣接する側面にそれぞれ対向する配置となる。この液晶モジュール１００をモニター本体に取り付ける際には、サイドマウント用ネジが取付部材として貫通孔１０１ｃを介してバックライト１０３の取付孔１０３ｃに取り付けられる。
【０００８】
図１５は、図１４の液晶表示装置の要部を示した平面図であり、バックライト１０３を前面側から見た様子が示されている。図１６は、図１５のＡ−Ａ線で切断した液晶表示装置の要部詳細を示した断面図であり、前方へ突出し上記サイドマウント用ネジを貫通させる貫通孔１１２ｂが形成されたリアフレーム１１２側面の突出部の様子が示されている。また、図１７は、図１５のＢ−Ｂ線で切断した液晶表示装置の要部詳細を示した断面図であり、ＴＦＴアレイ基板の端子部の位置に対応させて内側へ凹ませたリアフレーム１１２側面の凹部１１２ａの様子が示されている。
【０００９】
内フレーム１１１には、ランプユニットからの光を通過させる開口１１１ａが形成されている。また、内フレーム１１１の側面には、上記サイドマウント用ネジを係合させる係合孔１１１ｂが設けられている。ランプユニットは、線状の光源、拡散シートやレンズシートなどの光学シート１２１、アクリル樹脂からなる導光板１２２、及び、反射シート１２３からなる。リアフレーム１１２にフロントフレーム１０１を被せ、サイドマウント用ネジをフロントフレーム１０１及びリアフレーム１１２の貫通孔を介して内フレーム１１１の係合孔１１１ｂに取り付けた際に、リアフレーム１１２の凹部１１２ａに対向させてゲートドライバＩＣ１０５が配置される。
【００１０】
この液晶モジュール１００をモニター本体に取り付ける際、取り付け精度のバラツキなどによって、サイドマウント用ネジの軸が貫通孔１０１ｃ及び１１２ｂの中心軸からずれ、当該ネジの先端が貫通孔の内壁面に当接してしまう場合がある。このような場合には、フロントフレーム１０１又はリアフレーム１１２の一部分が削り取られ、導電性の金属片（異物）となる。このようにして生じた異物は、フレーム間の隙間を移動して様々な不具合を引き起こす。特に、リアフレーム１１２及び内フレーム１１１間やフロントフレーム１０１及びリアフレーム１１２間で生じた異物がＴＦＴアレイ基板の端子部側に移動し、短絡を引き起こすという問題があった。
【００１１】
図１８は、図１４の液晶表示装置の要部詳細を示した断面図であり、液晶パネル１０２のＴＦＴアレイ基板端部に設けられた端子部周辺の様子が示されている。ＴＣＰ１０４の端部には、配線パターンが露出するパターン露出部１０４ａが設けられており、その先端部分とＴＦＴアレイ基板の端子部とはＡＣＦ（Anisotropic Conductive Film：異方性導電膜）からなる接着部材１３１により接着されている。端子部先端は面取りされ、この面取り部分１０２ａとパターン露出部１０４ａとの間に凹部が形成されている。
【００１２】
液晶モジュール１００の取り付け時に生じた導電性の異物が上記凹部に噛み込まれると、端子部における端子間やＴＣＰ１０４における配線パターン間がショートし、表示不良や故障の原因となるという問題があった。また、異物が液晶パネル１０２の表示領域に回り込んでしまうと、当該異物が表示異物となるという問題もあった。
【特許文献１】特開２００３−１２１８１６号公報
【特許文献２】特開２００２−１０８２３５号公報
【特許文献３】特開平５−１０７５２９号公報
【発明の開示】
【発明が解決しようとする課題】
【００１３】
上述した通り、従来の液晶表示装置では、装置の筐体が導電性金属からなる場合、モニター本体などに筐体を取り付ける際、導電性の異物が生じて短絡などの不具合を引き起こすという問題があった。また、異物がフレーム間を移動して液晶パネルの表示領域に回り込んだ場合には表示異物となるという問題があった。
【００１４】
本発明は、上記事情に鑑みてなされたものであり、導電性の異物による不具合を抑制し歩留まりを向上させた液晶表示装置を提供することを目的としている。特に、モニター本体などに取り付ける際に、アレイ基板端部に設けられる端子部周辺で短絡が生じるのを抑制させた液晶表示装置を提供することを目的としている。また、異物が液晶パネルの表示領域に回り込んで表示異物となるのを抑制させた液晶表示装置を提供することを目的としている。
【課題を解決するための手段】
【００１５】
本発明による液晶表示装置は、前面に液晶パネルの表示領域を露出させる開口が設けられ、側面に取付部材を貫通させる貫通孔が設けられたフロントフレームと、ランプユニットからの光を通過させる開口が設けられ、上記液晶パネルが載置される内フレームと、上記ランプユニットを収容し、上記内フレームが内側に嵌め込まれるリアフレームとを備え、上記液晶パネルのアレイ基板端部には、半導体チップからなる駆動回路を接続するための端子部が設けられ、上記内フレームの側面には、上記取付部材を係合させる係合孔が設けられ、上記リアフレームの側面には、上記端子部の位置に対応させて内側へ凹ませた凹部と、前方へ突出し、上記取付部材を貫通させる貫通孔が形成された突出部とが設けられ、リアフレームにフロントフレームを被せ、取付部材をフロントフレーム及びリアフレームの貫通孔を介して内フレームの係合孔に取り付けた際に、上記凹部に対向させて上記駆動回路が配置される液晶表示装置であって、上記内フレームが、その側面における係合孔の周辺に異物の移動を阻止する阻止手段を有するように構成される。
【００１６】
この様な構成によれば、取付部材が取り付けられる内フレームの係合孔周辺に異物の移動を阻止する阻止手段が設けられるので、取付部材を取り付ける際に内フレーム及びリアフレーム間の取付部材周辺で生じた異物が移動するのを阻止することができる。従って、液晶表示装置の筐体が導電性の金属からなる場合に、モニター本体などに筐体を取り付ける際に生じた導電性の異物が筐体内を移動して不具合を引き起こすのを抑制することができる。
【００１７】
本発明による液晶表示装置は、上記構成に加え、上記阻止手段が、上記リアフレームの突出部を取り囲むように側方に向けて突出させて形成されるように構成される。この様な構成によれば、異物がリアフレームの側面に沿って前方やサイド方向へ移動するのを阻止することができるので、アレイ基板端部の端子部周辺で短絡が生じるのを効果的に抑制することができる。また、内フレーム及びリアフレーム間で生じた異物が前方へ移動するのが阻止されるので、異物が液晶パネルの表示領域に回り込むのを抑制することができる。
【００１８】
また、本発明による液晶表示装置は、上記構成に加え、上記フロントフレーム及び上記リアフレーム間における上記取付部材の周辺には、間隙を埋める充填部材を有するように構成される。この様な構成によれば、フロントフレーム及びリアフレーム間の取付部材周辺で生じた異物の移動も阻止することができるので、短絡などの不具合が生じるのを効果的に抑制することができる。
【００１９】
本発明による液晶表示装置は、上記構成に加え、上記内フレームが、側面の前側における上記凹部に対応する位置に側方に向けて突出させた突出部を有するように構成される。この様な構成によれば、異物がアレイ基板端部の端子部周辺に回り込むのを阻止することができるので、短絡が生じるのを効果的に抑制することができる。
【００２０】
また、本発明による液晶表示装置は、上記構成に加え、上記内フレームが、その側面における上記凹部に対応する位置に、液晶パネルが載置された際、上記アレイ基板及び内フレーム間に凹部を形成する切り欠き部を有するように構成される。この様な構成によれば、アレイ基板端部の端子部周辺に回り込もうとする異物がアレイ基板及び内フレーム間に形成された凹部内に取り込まれるので、短絡が生じるのを効果的に抑制することができる。特に、切り欠き部は、内フレームの側面における上記突出部に対応する位置に設けられる切り欠きよりも深い凹部を形成するように構成される。
【発明の効果】
【００２１】
本発明による液晶表示装置によれば、取付部材を取り付ける際に内フレーム及びリアフレーム間の取付部材周辺で生じた異物の移動が阻止されるので、モニター本体などに液晶表示装置を取り付ける際に生じた導電性の異物が筐体内を移動して不具合を引き起こすのを抑制することができる。特に、異物が前方及びサイド方向へ移動するのが阻止されるので、アレイ基板端部の端子部周辺で短絡が生じるのを効果的に抑制することができる。また、内フレーム及びリアフレーム間で生じた異物が前方へ移動するのが阻止されるので、異物が液晶パネルの表示領域に回り込んで表示異物となるのを効果的に抑制することができる。
【発明を実施するための最良の形態】
【００２２】
実施の形態１．
図１は、本発明の実施の形態１による液晶表示装置の概略構成の一例を示した分解斜視図であり、前面に液晶パネル３の表示領域を露出させる開口２ａが設けられたフロントフレーム２と、ＴＦＴ（Thin Film Transistor）アレイ基板及びＣＦ（カラーフィルタ）基板からなる液晶パネル３と、液晶パネル３を背面側から照明するバックライト４とを有する横長の液晶モジュール１が示されている。本実施の形態による液晶表示装置１は、パーソナルコンピュータやテレビ受像機などのモニターに用いられる液晶モジュールであり、モニター本体にネジなどの取付部材を用いて取り付けられる。
【００２３】
フロントフレーム２は、開口２ａが設けられる前面板と、爪４ｂに係合させるための係合孔２ｂ及び取付部材を貫通させる貫通孔２ｃがそれぞれ設けられる４つの側面板からなる。係合孔２ｂは、フロントフレーム２の長辺側の両側面板における対向する位置に設けられている。貫通孔２ｃは、フロントフレーム２の短辺側の両側面板における対向する位置に設けられている。この貫通孔２ｃは、フロントフレーム２の側面に２つ形成され、側面における両サイドに配置されている。
【００２４】
液晶パネル３には、複数のゲート線を駆動するゲートドライバＩＣ６及びゲート基板７と、複数のソース線（データ線）を駆動するソースドライバＩＣ９及びソース基板１０とが設けられている。ゲートドライバＩＣ６は、ＴＦＴ（Thin Film Transistor）アレイ基板の一短辺側に１又は２以上設けられ、ゲート基板７及びＴＦＴアレイ基板を接続するＴＣＰ（Tape Carrier Package）５上に半導体チップからなる駆動回路として形成されている。ソースドライバＩＣ９は、ＴＦＴアレイ基板の一長辺側に１又は２以上設けられ、ソース基板１０及びＴＦＴアレイ基板を接続するＴＣＰ（Tape Carrier Package）８上に半導体チップからなる駆動回路として形成されている。
【００２５】
ゲート基板７及びソース基板１０は、それぞれプリント基板（Printed Wiring Board：ＰＷＢ）からなり、複数のドライバＩＣを制御するコントローラ回路が形成されている。また、各ＴＣＰ５及び８は、ＴＦＴアレイ基板の端部に設けられる端子部に接続されている。ここでは、各ゲートドライバＩＣ６がそれぞれ独立した１個のＴＣＰ５上に形成されるものとする。
【００２６】
バックライト４は、ランプユニットと、ランプユニットからの光を通過させる開口が設けられ、液晶パネル３が載置される内フレームと、ランプユニットを収容し、内フレームが内側に嵌め込まれるリアフレームとからなる。リアフレームは、背面板と、爪４ｂ及び貫通孔４ｃがそれぞれ形成される４つの側面板からなる。爪４ｂ及び貫通孔４ｃは、それぞれフロントフレーム２の係合孔２ｂ及び貫通孔２ｃに対応させて形成される。
【００２７】
内フレームは樹脂（モールド）からなり、フロントフレーム２及びリアフレームはアルミニウムなどの金属からなる。
【００２８】
バックライト４の内フレーム上に液晶パネル３を載置した状態で、リアフレームにフロントフレーム２を被せ、フロントフレーム２の各係合孔２ｂをそれぞれバックライト４の爪４ｂに係合させると、液晶表示装置１が完成する。液晶表示装置１の完成状態では、ゲート基板７及びソース基板１０はそれぞれリアフレームの背面側に回し込まれ、ゲートドライバＩＣ６及びソースドライバＩＣ９がバックライト４の隣接する側面にそれぞれ対向する配置となる。この液晶表示装置１をモニター本体に取り付ける際には、サイドマウント用ネジが取付部材として貫通孔２ｃを介してバックライト４の取付孔４ｃに取り付けられる。
【００２９】
図２は、図１の液晶表示装置における要部詳細の一例を示した分解斜視図であり、内フレーム１１と、光学シート１２、導光板１３、反射シート１４及び線状光源１６，１７からなるランプユニットと、リアフレーム１５により構成されるバックライト４の様子が示されている。内フレーム１１の中央部には、ランプユニットからの光を通過させる開口１１ａが形成されている。また、内フレーム１１の各側面には、長辺側に爪１１ｂ、短辺側に上記サイドマウント用ネジを係合させる係合孔１１ｃがそれぞれ形成されている。
【００３０】
光学シート１２は、拡散シートやレンズシートからなり、ランプユニットから射出される光を開口１１ａ面内で均一化している。導光板１３は、アクリル樹脂などの透明樹脂からなる。線状光源１６及び１７は、蛍光管又は複数のＬＥＤからなり、それぞれ導光板１３の長辺側に配置される。つまり、このバックライト４は、導光板１３の両サイドに光源が配置されるサイドライト方式の照明手段となっている。
【００３１】
リアフレーム１５の長辺側の各側面には、爪１１ｂを係合させる係合孔１５ｂがそれぞれ形成されている。短辺側の一方の側面、すなわち、ゲート側の側面には、ＴＦＴアレイ基板端部の端子部の位置に対応させて内側へ凹ませた凹部１５ａと、前方へ突出し、サイドマウント用ネジを貫通させる貫通孔１５ｃが形成された突出部とが設けられている。凹部１５ａ及び突出部は、交互に配置されている。短辺側の他方の側面には、両サイドに貫通孔１５ｃが設けられている。
【００３２】
ランプユニットをリアフレーム１５内に収容させた状態で、リアフレーム１５の内側に内フレーム１１を嵌め込み、リアフレーム１５の各係合孔１５ｂにそれぞれ内フレーム１１の爪１１ｂを係合させると、バックライト４が完成する。なお、内フレーム１１は、リアフレーム１５に必要に応じて両面接着テープなどによりテープ止めされる。
【００３３】
図３は、図１の液晶表示装置の要部を示した平面図であり、バックライト４を前面側から見た様子が示されている。図４は、図３のＡ１−Ａ１線で切断した液晶表示装置の要部詳細の一例を示した断面図であり、リアフレーム１５側面の突出部の様子が示されている。また、図５は、図３のバックライトの要部詳細の一例を示した斜視図であり、リアフレーム１５側面の突出部周辺の様子が示されている。
【００３４】
内フレーム１１の側面における係合孔１１ｃの周辺には、異物の移動を阻止するための阻止手段として側方に向けて突出する凸部１８が設けられている。この凸部１８は、内フレーム１１の側面に垂直な方向に突出させて設けられ、係合孔１１ｃの周辺であってＴＦＴアレイ基板端部の端子部側及びＴＣＰ５側に壁として形成される。例えば、凸部１８の壁面は、リアフレーム１５の突出部を取り囲むように形成され、少なくとも突出部のＴＣＰ５側の端面、及び、前面側の端面に対向させて形成される。ここでは、リアフレーム１５の突出部をリアフレーム１５の側面内で３方から取り囲んで配置されている。
【００３５】
なお、リアフレーム１５の側面において貫通孔１５ｃが形成されない突出部に対しても、内フレーム１１の側面に当該突出部を取り囲むように側方に向けて突出する凸部を設けるようにしても良い。つまり、リアフレーム１５側面における全ての突出部分に関し、当該突出部分を取り囲む凸部を内フレーム１１に設けても良い。これによって、リアフレーム１５及び内フレーム１１間で生じた異物の移動を効果的に防止することができる。
【００３６】
本実施の形態によれば、内フレーム１１の係合孔１１ｃ周辺に異物の移動を阻止する凸部１８が設けられるので、サイドマウント用ネジを取り付ける際に内フレーム１１及びリアフレーム１５間の取付部材周辺で生じた異物が移動するのを阻止することができる。従って、液晶表示装置１の筐体が導電性の金属からなる場合に、モニター本体に筐体を取り付ける際に生じた導電性の異物が筐体内を移動して不具合を引き起こすのを防止することができる。
【００３７】
特に、異物がリアフレーム１５の側面に沿って前方やサイド方向へ移動するのを阻止することができるので、ＴＦＴアレイ基板端部の端子部周辺で短絡が生じるのを効果的に抑制することができる。また、内フレーム１１及びリアフレーム１５間で生じた異物が前方へ移動するのが阻止されるので、異物が液晶パネル３の表示領域に回り込むのを抑制することができる。
【００３８】
また、リアフレーム１５の突出部先端が内フレーム１１の凸部１８側壁に当接することによって、リアフレーム１５が位置決めされるので、バックライト４の組み立て性、すなわち、作業性を向上させることができる。
【００３９】
なお、本実施の形態では、液晶パネル３のゲート側に取付部材が取り付けられる場合の例について説明したが、本発明はこれに限られるものではなく、ソース側に取付部材を取り付けるようなものであっても良い。
【００４０】
実施の形態２．
実施の形態１では、内フレーム１１の係合孔１１ｃ周辺に異物移動の阻止手段が設けられる場合の例について説明した。これに対し、本実施の形態では、フロントフレーム２及びリアフレーム１５間の取付部材周辺に異物の移動を阻止する手段を設ける場合について説明する。
【００４１】
図６は、本発明の実施の形態２による液晶表示装置の要部詳細の一例を示した断面図であり、フロントフレーム２及びリアフレーム１５の貫通孔周辺の様子が示されている。また、図７は、図６の液晶表示装置の要部を示した図であり、充填部材２１が取り付けられたリアフレーム１５を取付部材の取り付け方向外側から見た様子が示されている。本実施の形態では、フロントフレーム２及びリアフレーム１５間の間隙を埋める充填部材２１が設けられている。
【００４２】
充填部材２１には、発泡スチロールなどの樹脂からなる１個の独立したリング状の枠体が用いられる。ここでは、両面接着テープなどによってリアフレーム１５の貫通孔１５ｃ周辺に取り付けられる。つまり、この充填部材２１は、取付部材を取り囲むように形成される。
【００４３】
本実施の形態によれば、フロントフレーム２及びリアフレーム１５間の取付部材周辺で生じた異物の移動を阻止することができるので、液晶表示装置の筐体が導電性の金属からなる場合に、モニター本体に筐体を取り付ける際に生じた導電性の異物が筐体内を移動して短絡を引き起こすのを防止することができる。特に、リアフレーム１５側面に沿って前方及びサイド方向へ異物が移動するのを阻止することができるので、短絡などの不具合防止に効果的である。
【００４４】
図８は、本発明の実施の形態２による液晶表示装置における要部の他の例を示した図であり、リアフレーム１５の突出部の突出方向に平行に充填部材２２が設けられる様子が示されている。この充填部材２２は、２つの線状部材によって貫通孔１５ｃを挟むように形成される。これにより、リアフレーム１５側面に沿ってサイド方向へ異物が移動するのを効果的に阻止することができる。
【００４５】
図９は、本発明の実施の形態２による液晶表示装置における要部の他の例を示した図であり、リアフレーム１５の突出部の突出方向に垂直な方向に充填部材２３が設けられる様子が示されている。この充填部材２３は、２つの線状部材によって貫通孔１５ｃを挟むように形成される。これにより、リアフレーム１５側面に沿って突出部の突出方向へ異物が移動するのを効果的に阻止することができる。
【００４６】
なお、本実施の形態では、フロントフレーム２及びリアフレーム１５間の取付部材周辺に異物の移動を阻止する手段が設けられる場合の例について説明したが、本発明はこれに限られるものではない。例えば、フロントフレーム２及びリアフレーム１５間の間隙を埋める充填部材と合わせて、実施の形態１と同様な凸部を内フレーム１１に設けるようなものであっても良い。このようにすれば、異物の移動が効果的に阻止され、短絡などの不具合が生じるのをより効果的に防止することができる。
【００４７】
実施の形態３．
実施の形態１では、内フレーム１１の係合孔１１ｃ周辺に異物移動の阻止手段が設けられる場合の例について説明した。これに対し、本実施の形態では、リアフレーム１５の凹部１５ａの位置に対応させて内フレーム１１側面に異物の移動を阻止する阻止手段を設ける場合について説明する。
【００４８】
図１０は、本発明の実施の形態３による液晶表示装置の要部の一例を示した平面図であり、リアフレーム１５の凹部１５ａに対応する位置に突出部３１が設けられたバックライト４の様子が示されている。また、図１１は、図１０のＡ２−Ａ２線で切断した液晶表示装置の要部詳細の一例を示した断面図であり、リアフレーム１５側面の凹部１５ａ周辺の様子が示されている。
【００４９】
この突出部３１は、内フレーム１１の側面における前側に設けられ、凹部１５ａの位置に対応させて側方に向けて突出して形成される。つまり、突出部３１は、ＴＦＴアレイ基板端部の端子部の位置に対応させて内フレーム１１の前端部に形成され、異物が内フレーム１１の側面に沿ってＴＦＴアレイ基板の端子部周辺に回り込むのを阻止する庇となっている。
【００５０】
本実施の形態によれば、異物がＴＦＴアレイ基板端部の端子部周辺に回り込むのを阻止することができるので、短絡が生じるのを効果的に抑制することができる。
【００５１】
実施の形態４．
実施の形態３では、リアフレーム１５の凹部１５ａの位置に対応させて内フレーム１１の前端部に突出部３１が設けられる場合の例について説明した。これに対し、本実施の形態では、リアフレーム１５の凹部１５ａの位置に対応させて内フレーム１１側面に切り欠き部３２を設ける場合について説明する。
【００５２】
図１２は、本発明の実施の形態４による液晶表示装置の要部の一例を示した平面図であり、リアフレーム１５の凹部１５ａに対応する位置に切り欠き部３２が設けられたバックライト４の様子が示されている。また、図１３は、図１２のＡ３−Ａ３線で切断した液晶表示装置の要部詳細の一例を示した断面図であり、リアフレーム１５側面の凹部１５ａ周辺の様子が示されている。
【００５３】
この切り欠き部３２は、内フレーム１１の側面における凹部１５ａに対応する位置に設けられ、液晶パネル３が内フレーム１１上に載置された際、ＴＦＴアレイ基板及び内フレーム１１間に凹部を形成する。
【００５４】
切り欠き部３２は、凹部１５ａに対応する位置以外にも、すなわち、リアフレーム１５の突出部に対応する位置にも設けても良いが、液晶パネル３を構成するガラス基板が内フレーム１１上の切り欠きによって割れ易くなるのを防止するためには、凹部１５ａに対応する位置だけに設けるのが好ましい。
【００５５】
また、切り欠き部３２は、内フレーム１１の側面全体にわたってその前端部に形成される面取りとは区別されるものである。つまり、この切り欠き部３２は、リアフレーム１５の突出部に対応する位置に設けられる切り欠きよりも深い凹部を形成するものとなっている。このような深い凹部がトラップとなることによって、内フレーム１１の側面に沿ってＴＦＴアレイ基板の端子部周辺に回り込もうとする異物を取り込むことができる。
【００５６】
本実施の形態によれば、ＴＦＴアレイ基板端部の端子部周辺に回り込もうとする異物がＴＦＴアレイ基板及び内フレーム１１間に形成された凹部内に取り込まれるので、短絡が生じるのを効果的に抑制することができる。
【００５７】
なお、実施の形態３及び４では、リアフレーム１５の凹部１５ａの位置に対応させて内フレーム１１側面に異物の移動を阻止する阻止手段が設けられる場合の例について説明したが、本発明はこれに限られるものではない。例えば、リアフレーム１５の凹部１５ａの位置に対応させて内フレーム１１側面に異物移動の阻止手段を設けるのと合わせて、実施の形態１と同様な凸部を内フレーム１１に設けるようなものであっても良い。このようにすれば、異物の移動が効果的に阻止され、短絡が生じるのをより効果的に防止することができる。
【図面の簡単な説明】
【００５８】
【図１】本発明の実施の形態１による液晶表示装置の概略構成の一例を示した分解斜視図である。
【図２】図１の液晶表示装置における要部詳細の一例を示した分解斜視図である。
【図３】図１の液晶表示装置の要部を示した平面図であり、バックライト４を前面側から見た様子が示されている。
【図４】図３のＡ１−Ａ１線で切断した液晶表示装置の要部詳細の一例を示した断面図であり、リアフレーム１５側面の突出部の様子が示されている。
【図５】図３のバックライトの要部詳細の一例を示した斜視図であり、リアフレーム１５側面の突出部周辺の様子が示されている。
【図６】本発明の実施の形態２による液晶表示装置の要部詳細の一例を示した断面図であり、フロントフレーム２及びリアフレーム１５の貫通孔周辺の様子が示されている。
【図７】図６の液晶表示装置の要部を示した図であり、充填部材２１が取り付けられたリアフレーム１５を取付部材の取り付け方向外側から見た様子が示されている。
【図８】本発明の実施の形態２による液晶表示装置における要部の他の例を示した図である。
【図９】本発明の実施の形態２による液晶表示装置における要部の他の例を示した図である。
【図１０】本発明の実施の形態３による液晶表示装置の要部の一例を示した平面図である。
【図１１】図１０のＡ２−Ａ２線で切断した液晶表示装置の要部詳細の一例を示した断面図である。
【図１２】本発明の実施の形態４による液晶表示装置の要部の一例を示した平面図である。
【図１３】図１２のＡ３−Ａ３線で切断した液晶表示装置の要部詳細の一例を示した断面図である。
【図１４】従来の液晶表示装置の概略構成を示した分解斜視図である。
【図１５】図１４の液晶表示装置の要部を示した平面図であり、バックライト１０３を前面側から見た様子が示されている。
【図１６】図１５のＡ−Ａ線で切断した液晶表示装置の要部詳細を示した断面図である。
【図１７】図１５のＢ−Ｂ線で切断した液晶表示装置の要部詳細を示した断面図である。
【図１８】図１４の液晶表示装置の要部詳細を示した断面図であり、液晶パネル１０２のＴＦＴアレイ基板端部に設けられた端子部周辺の様子が示されている。
【符号の説明】
【００５９】
１  液晶表示装置
２  フロントフレーム
２ａ，１１ａ  開口
２ｂ，１１ｃ，１５ｂ  係合孔
２ｃ,４ｃ，１５ｃ  貫通孔
３  液晶パネル
４  バックライト
４ｂ，１１ｂ  爪
５，８  ＴＣＰ
６  ゲートドライバＩＣ
７  ゲート基板
９  ソースドライバＩＣ
１０  ソース基板
１１  内フレーム
１５  リアフレーム
１５ａ  凹部
１８  凸部
２１〜２３  充填部材
３１  突出部
３２  切り欠き部
【図１】
2006010996.tif 000003
【図２】
2006010996.tif 000004
【図３】
2006010996.tif 000005
【図４】
2006010996.tif 000006
【図５】
2006010996.tif 000007
【図６】
2006010996.tif 000008
【図７】
2006010996.tif 000009
【図８】
2006010996.tif 000010
【図９】
2006010996.tif 000011
【図１０】
2006010996.tif 000012
【図１１】
2006010996.tif 000013
【図１２】
2006010996.tif 000014
【図１３】
2006010996.tif 000015
【図１４】
2006010996.tif 000016
【図１５】
2006010996.tif 000017
【図１６】
2006010996.tif 000018
【図１７】
2006010996.tif 000019
【図１８】
2006010996.tif 000020